(57)【要約】【課題】送信先情報が設定されていない場合でも、高い信頼性で誤送信を防止できるファクシミリ装置を提供する。【解決手段】ファクシミリ装置は、複数個の電話回線と接続可能であって、送信先を指定したファクシミリ送信指示の入力を受ける指示受付機能Ｓ２０２と、送信指示を受けたことに応答し、指定された送信先に、第１の電話回線で発呼する第１の発呼機能Ｓ２０８と、第１の発呼機能による発呼から予め定められる時間後に、第２の電話回線で同じ送信先に発呼する第２の発呼機能Ｓ２１０と、第２の発呼機能による発呼後の第１及び第２の電話回線の通信状態の組合せにしたがって、第１の電話回線でのファクシミリ送信を続行又は中止する送信制御機能Ｓ２１４、Ｓ２１６、Ｓ２１８とを含む。【選択図】        図３
2010062889.tif 000002
【特許請求の範囲】
【請求項１】
複数個の電話回線と接続することが可能なファクシミリ装置であって、
ファクシミリデータの送信先を指定したファクシミリ送信指示の入力を受けるための指示受付手段と、
前記指示受付手段がファクシミリ送信指示を受けたことに応答して、当該ファクシミリ送信指示により指定された送信先に、第１の電話回線を用いて発呼するための第１の発呼手段と、
前記第１の発呼手段による発呼から予め定められる時間後に、前記第１の電話回線とは異なる第２の電話回線を用いて、前記第１の発呼手段と同じ送信先に発呼するための第２の発呼手段と、
前記第２の発呼手段による発呼後の前記第１及び第２の電話回線の通信状態の組合せにしたがって、前記第１の電話回線を用いたファクシミリ送信を続行又は中止するための送信制御手段とを含む、ファクシミリ装置。
【請求項２】
前記送信制御手段は、
前記第２の発呼手段による発呼後、前記第１の電話回線が通信状態となり、前記第２の電話回線がビジー状態となったことに応答して、前記第１の電話回線によるファクシミリ送信を続行するための送信続行手段と、
前記第２の発呼手段による発呼後、前記第１及び第２の電話回線がともに通信状態となったことに応答して、前記第１の電話回線によるファクシミリ送信を中止するための送信中止手段とを含む、請求項１に記載のファクシミリ装置。
【請求項３】
前記送信制御手段は、
前記第１の電話回線で送信先から応答がある前に、前記第２の電話回線で送信先から応答があったことに応答して、前記第１の電話回線によるファクシミリ送信を中止するための第１の送信中止手段と、
前記第１の送信中止手段によって前記第１の電話回線によるファクシミリ送信が中止されたことに応答して、所定時間後に前記第２の電話回線と異なる第３の電話回線を用いて前記第２の発呼手段と同じ送信先に発呼するための第３の発呼手段と、
前記第３の発呼手段による発呼後、前記第２の電話回線が通信状態となり、前記第３の電話回線がビジー状態となったことに応答して、前記第２の電話回線によるファクシミリ送信を続行するための送信続行手段と、
前記第３の発行手段による発呼後、前記第２及び第３の電話回線がともに通信状態となったことに応答して、前記第２の電話回線によるファクシミリ送信を中止するための第２の送信中止手段とを含む、請求項１に記載のファクシミリ装置。
【請求項４】
前記送信制御手段はさらに、前記第１の発呼手段による発呼後、所定時間を経過しても前記第１及び第２の電話回線のいずれにおいても応答がないことに応答して、前記第１及び第２の発呼手段による発呼を中止するための手段をさらに含む、請求項２又は請求項３に記載のファクシミリ装置。
【請求項５】
前記送信制御手段によるファクシミリ送信制御の対象から除外すべき送信先を記憶するための記憶手段と、
前記指示受付手段が受けたファクシミリ指示により指定された前記送信先が前記記憶手段に記憶されているときには、前記送信制御手段の動作を抑止して、１つの電話回線を用いて当該送信先に発呼することによりファクシミリデータを送信するための通常送信手段とをさらに含む、請求項１〜請求項４のいずれかに記載のファクシミリ装置。
【請求項６】
所定の送信先に対して、前記送信制御手段によるファクシミリ送信の中止が予め定められる回数以上発生したことに応答して、当該送信先を前記記憶手段に追加して記憶させるための所定の追加処理を実行するための除外送信先追加手段をさらに含む、請求項１に記載のファクシミリ装置。
【請求項７】
前記除外送信先追加手段は、前記所定の送信先に対して、前記送信中止手段による送信中止が予め定められる回数以上発生したことに応答して、当該所定の送信先を表示して当該送信先を前記記憶手段に追加するか否かを利用者に問合せ、利用者の指示を受付けるための手段と、
前記受付けるための手段が受付けた指示にしたがって、前記所定の送信先を前記記憶手段に追加登録する処理と、追加登録を中止する処理とを選択的に実行するための手段とを含む、請求項６に記載のファクシミリ装置。
【請求項８】
前記除外送信先追加手段は、前記所定の送信先に対して、前記送信中止手段による送信中止が予め定められる回数以上発生したことに応答して、当該所定の送信先を自動的に前記記憶手段に追加するための自動追加手段を含む、請求項６に記載のファクシミリ装置。
【発明の詳細な説明】
【技術分野】
【０００１】
本発明は、データを送信するファクシミリ装置に関し、特に、誤送信防止機能を備えたファクシミリ装置に関する。
【背景技術】
【０００２】
ファクシミリ装置が他のファクシミリ装置とデータ送信を行なう時は、最初にオンフックにより回線を捕捉した後、送信先のダイヤル情報を回線に送出する。回線が閉結されると、送信元がファクシミリ装置であることを送信先のファクシミリ装置に通知するためのトーナル信号（ＣＮＧ：コーリングトーン信号）を送信する。その信号を受信した送信先ファクシミリ装置は、送信側ファクシミリ装置に対して応答信号を送信する。送信側の装置はこの間、送信先（受信側）からの応答を待っている。
【０００３】
ところで、あるファクシミリ装置から別のファクシミリ装置に発呼された時には、受信側ファクシミリ装置に呼出し信号が到来するまでに少なくとも１５０ｍｓの時間が必要である。この１５０ｍｓの時間の間に、発呼先のファクシミリ装置がさらに他のファクシミリ装置にデータ送信しようと上記したような送信手順を行なうと、発呼したファクシミリ装置とこの発呼先のファクシミリ装置との回線が閉結されてしまう。
【０００４】
このような際には、双方のファクシミリ装置がともに画像データの送信を行なうための送信手順を行なうことになる。したがって双方とも所定の応答信号を受信できず送信できない状態となる。
【０００５】
しかし、ファクシミリ装置によっては上記した様な送信手順を行なっている場合でも、他のファクシミリ装置からトーナル信号を受信した場合には、送信手順を中断し受信モードに切替える装置が存在する。
【０００６】
最初に発呼したファクシミリ装置がこのような機能を備えている場合には、その発呼先のファクシミリ装置が意図しないファクシミリ装置にデータ送信を行なう恐れがある。
【０００７】
ファクシミリ装置の誤送信防止方法としては、ファクシミリでの通信プロトコルに使用される信号により通信相手先を照合し、誤送信を防止する技術が知られている。
【０００８】
特許文献１には、相手先から受信するファクシミリ番号で送信相手先を確認し、誤送信を防止する技術が開示されている。
【特許文献１】特開平８−４６７６７号
【発明の開示】
【発明が解決しようとする課題】
【０００９】
しかし、通信プロトコルで使用される信号により送信先が正しいか判定する場合には、送信側ファクシミリ装置で事前に送信先の情報を設定しておく必要があり、設定されていない送信先については、送信先が正しいか判定することができなかった。
【００１０】
特許文献１の技術でも、事前に送信先を正しく登録しておく必要があり、登録していない送信先に対してデータの誤送信を防ぐには十分ではないという問題点がある。
【００１１】
それゆえに本発明の目的は、送信側ファクシミリ装置に送信先情報が設定されていない場合でも、高い信頼性で誤送信を防止することを可能にしたファクシミリ装置を提供することである。
【課題を解決するための手段】
【００１２】
本発明の第１の局面に係るファクシミリ装置は、複数個の電話回線と接続することが可能なファクシミリ装置であって、ファクシミリデータの送信先を指定したファクシミリ送信指示の入力を受けるための指示受付手段と、指示受付手段がファクシミリ送信指示を受けたことに応答して、当該ファクシミリ送信指示により指定された送信先に、第１の電話回線を用いて発呼するための第１の発呼手段と、第１の発呼手段による発呼から予め定められる時間後に、第１の電話回線とは異なる第２の電話回線を用いて、第１の発呼手段と同じ送信先に発呼するための第２の発呼手段と、第２の発呼手段による発呼後の第１及び第２の電話回線の通信状態の組合せにしたがって、第１の電話回線を用いたファクシミリ送信を続行又は中止するための送信制御手段とを含む。
【００１３】
このファクシミリ装置は、複数個の電話回線と接続することが可能である。ファクシミリ装置は、入力されたファクシミリデータの送信先へ第１の電話回線を用いて発呼し、第１の電話回線を用いた発呼から予め定められる時間後に、第２の電話回線を用いて同じ送信先に発呼する。第２の電話回線を用いた発呼後、第１及び第２の電話回線の通信状態の組合せにしたがって、第１の電話回線を用いたファクシミリ送信を続行又は中止することができる。上記手順に従って発呼をし、第１及び第２の電話回線の通信状態の組合せを見ることで、第１の電話回線が送信先に正しく接続されたか否かを確認することができる。この確認のために、予め送信先の詳細を登録しておく必要はない。その結果、送信側ファクシミリ装置に送信先情報が設定されていない場合でも、高い信頼性で誤送信を防止することを可能にしたファクシミリ装置を提供することができる。
【００１４】
好ましくは、送信制御手段は、第２の発呼手段による発呼後、第１の電話回線が通信状態となり、第２の電話回線がビジー状態となったことに応答して、第１の電話回線によるファクシミリ送信を続行するための送信続行手段と、第２の発呼手段による発呼後、第１及び第２の電話回線がともに通信状態となったことに応答して、第１の電話回線によるファクシミリ送信を中止するための送信中止手段とを含む。
【００１５】
第１の発呼手段による発呼と第２の発呼手段による発呼とは、同じ送信先に対して行なわれる。第１の電話回線が通信状態のとき、第２の電話回線が話中などのビジー状態になった場合は、第１の電話回線が正しく送信先に接続されたために第２の電話回線がビジー状態になったと判定できる。この状態の時は、第１の回線によるファクシミリ送信を続行する。第１及び第２の電話回線がともに通信状態となった時は、第１の電話回線は間違った送信先に接続されている可能性があると判定でき、第１の回線によるファクシミリ送信を中止する。その結果、高い信頼性で誤送信を防ぐことが可能になる。
【００１６】
より好ましくは、送信制御手段は、第１の電話回線で送信先から応答がある前に、第２の電話回線で送信先から応答があったことに応答して、第１の電話回線によるファクシミリ送信を中止するための第１の送信中止手段と、第１の送信中止手段によって第１の電話回線によるファクシミリ送信が中止されたことに応答して、所定時間後に第２の電話回線と異なる第３の電話回線を用いて第２の発呼手段と同じ送信先に発呼するための第３の発呼手段と、第３の発呼手段による発呼後、第２の電話回線が通信状態となり、第３の電話回線がビジー状態となったことに応答して、第２の電話回線によるファクシミリ送信を続行するための送信続行手段と、第３の発行手段による発呼後、第２及び第３の電話回線がともに通信状態となったことに応答して、第２の電話回線によるファクシミリ送信を中止するための第２の送信中止手段とを含む。
【００１７】
第１の電話回線で送信先から応答がある前に、第２の電話回線で送信先から応答があったときは、第１の電話回線によるファクシミリ送信を中止する。それに続き、所定時間後に第２の電話回線と異なる第３の電話回線を用いて発呼を行ない、第２の電話回線の接続確認用として動作させる。第２の電話回線が通信状態となり、第３の電話回線がビジー状態となった時は、第２の電話回線が送信先に正しく接続できたと判定し、第２の電話回線を用いてファクシミリ送信を続行する。第２及び第３の電話回線がともに通信状態となったときには第２の電話回線は間違った送信先に接続された可能性があると判定でき、第２の電話回線によるファクシミリ送信を中止する。このように、第１の電話回線よりあとから発呼した第２の電話回線が先に応答を受けた場合は、応答を受けた電話回線がファクシミリ送信に用いられるように、他の電話回線を使って回線確認を行なう。その結果、第１又は第２の電話回線のどちらが先に送信先からの応答を受けたとしてもすぐに回線の接続確認を行なうことができ、誤送信防止処理をよりスムーズに行ないながらファクシミリ送信をすることができる。
【００１８】
さらに好ましくは、送信制御手段は、第１の発呼手段による発呼後、所定時間を経過しても第１及び第２の電話回線のいずれにおいても応答がないことに応答して、第１及び第２の発呼手段による発呼を中止するための手段をさらに含む。
【００１９】
第１の発呼手段による発呼後、第１及び第２の電話回線のいずれにおいても所定の時間応答がない場合は、第１及び第２の電話回線の発呼を中止して、ファクシミリ送信が長時間電話回線を専有し続けることを防ぐことができる。
【００２０】
好ましくは、ファクシミリ装置は送信制御手段によるファクシミリ送信制御の対象から除外すべき送信先を記憶するための記憶手段と、指示受付手段が受けたファクシミリ指示により指定された送信先が記憶手段に記憶されているときには、送信制御手段の動作を抑止して、１つの電話回線を用いて当該送信先に発呼することによりファクシミリデータを送信するための通常送信手段とをさらに含む。
【００２１】
電話回線の内部交換機の中には、交換機に電話回線及び複数のファクシミリ装置が接続されており、１つのファクシミリ番号に対して一度に複数の接続要求が発生した場合には、それらを複数のファクシミリ装置に振分ける機能を備えたものがある。そのような内部交換機を備えた送信先に対しては、上記した誤送信確認動作を行なうと、発呼した複数の回線がともに接続されてしまい、ファクシミリ送信動作が正常に行なわれなくなる。そのため、ファクシミリ送信制御を行なわない送信先を記憶し、その記憶された送信先に対しては１つの電話回線を用いたファクシミリデータ送信を行なうことによってファクシミリ送信を可能にすることができる。
【００２２】
好ましくは、ファクシミリ装置は、所定の送信先に対して、送信制御手段によるファクシミリ送信の中止が予め定められる回数以上発生したことに応答して、当該送信先を記憶手段に追加して記憶させるための所定の追加処理を実行するための除外送信先追加手段をさらに含む。
【００２３】
ファクシミリ装置は、ある送信先に対してファクシミリ送信を行ない、送信中止になった回数が予め定められる回数以上となった場合、その送信先をファクシミリ送信制御の対象から除外すべき送信先として記憶させるための処理をする。その結果、送信中止を繰返す送信先に対しては、第１及び第２の発呼手段を用いたファクシミリ送信制御を行なわなくなり、１つの電話回線を用いたファクシミリ送信を行なうことで送信を可能にすることができる。
【００２４】
より好ましくは、除外送信先追加手段は、所定の送信先に対して、送信中止手段による送信中止が予め定められる回数以上発生したことに応答して、当該所定の送信先を表示して当該送信先を記憶手段に追加するか否かを利用者に問合せ、利用者の指示を受付けるための手段と、受付けるための手段が受付けた指示にしたがって、所定の送信先を記憶手段に追加登録する処理と、追加登録を中止する処理とを選択的に実行するための手段とを含む。
【００２５】
ある送信先に対してファクシミリ送信を行ない、送信中止になった回数がその設定値を超えた場合、ファクシミリ装置はその送信先を表示し利用者に通知する。利用者はその送信先をファクシミリ送信制御の対象から除外すべきか否かを判断し指示を出す。このように、利用者がファクシミリ送信における送信先をファクシミリ送信制御の対象にするか否かを判断することによって、ファクシミリ送信における送信制御からの除外を慎重に設定することができる。
【００２６】
好ましくは、除外送信先追加手段は、所定の送信先に対して、送信中止手段による送信中止が予め定められる回数以上発生したことに応答して、当該所定の送信先を自動的に記憶手段に追加するための自動追加手段を含む。
【００２７】
ある送信先に対してファクシミリ送信を行ない、送信中止になった回数が予め定められる回数以上となった場合、ファクシミリ装置はその送信先を自動的に記憶手段に追加する。記憶手段に追加された送信先は再送信の際に参照され、ファクシミリ装置はその送信先をファクシミリ送信制御の対処から除外し、１つの電話回線を用いたファクシミリ送信を行なう。その結果、ファクシミリ送信における送信制御の影響により何度も再送信が行なわれることを防ぐことができ、業務効率を向上させると同時に通信費を抑制することができる。
【発明の効果】
【００２８】
以上のように、複数個の電話回線と接続することが可能なファクシミリ装置を用いて利用者により入力された送信先に対して複数の電話回線を用いて発呼処理を行ない、接続確認処理を行なう。ファクシミリ装置は、先に接続された電話回線が所望の接続先に接続されたかどうかを、確認処理用の電話回線の接続状況を確認して判定する。確認処理用の回線がビジー状態である場合は、通信処理用の回線が接続されたためと判定し、ファクシミリ装置は接続された電話回線を用いてファクシミリ送信を行なう。また、確認処理用の電話回線が通信状態になった場合は、先に繋がった接続用の電話回線が他の送信先と接続された可能性があると判定してファクシミリ送信を中止する。こうした処理のために、あらかじめ送信先を記憶しておく必要はない。
【００２９】
その結果、送信側ファクシミリ装置に送信先情報が設定されていない場合でも、高い信頼性で誤送信を防止することを可能にしたファクシミリ装置を提供することができる。
【発明を実施するための最良の形態】
【００３０】
以下の説明及び図面においては、同一部品には同じ参照符号および名称を付してある。それらの機能も同様である。したがって、それらについての詳細な説明は繰返さない。
【００３１】
［第１の実施の形態］
−構成−
図１は、本発明の第１の実施の形態に係るファクシミリ装置３０を含む、データ通信システム２０の全体構成を表す図である。
【００３２】
図１を参照して、ファクシミリ装置３０は電話回線網３２に接続される。データ通信システム２０はさらに、電話回線網３２に接続された内部交換機３８と、内部交換機３８に接続されたファクシミリ装置３４、３６とを含む。内部交換機３８は、電話回線網３２に接続された複数の電話回線を有する。ファクシミリ装置３４、３６はそれぞれ、内部交換機３８に接続された１つの電話回線を有する。
【００３３】
内部交換機３８は、１つのファクシミリの番号に対して発信処理を行なったとき、複数の電話回線に振分ける処理を行なう。例えば、１つの番号に対して一度に２つの接続要求が発生した場合、内部交換機３８が２つの電話回線に振り分け、送信先ファクシミリ装置３４及び３６がそれぞれ応答する。
【００３４】
図２は、ファクシミリ装置３０の構成を表すブロック図である。
【００３５】
図２を参照して、ファクシミリ装置３０は、ＣＰＵ（Ｃｅｎｔｒａｌ  Ｐｒｏｃｅｓｓｉｎｇ  Ｕｎｉｔ）４０と、ＣＰＵ４０に接続されたバス５０と、動作に必要となるプログラムを記憶するためのＲＯＭ（Ｒｅａｄ  Ｏｎｌｙ  Ｍｅｍｏｒｙ）４１と、プログラム動作用のＲＡＭ（Ｒａｎｄｏｍ  Ａｃｃｅｓｓ  Ｍｅｍｏｒｙ）４３と、操作者からの入力指示を受付けるための操作パネル４２と、送信先の番号とファクシミリ装置３０の動作設定とを関連付けて登録するための登録メモリ４４と、送信するイメージデータ及び受信したイメージデータを保存するための画像メモリ４６と、外部からのイメージデータを取込むための読取部４８とを含む。操作パネル４２と、ＲＯＭ４１と、ＲＡＭ４３と、登録メモリ４４と、画像メモリ４６と、読取部４８とはバス５０に接続されており、全体の制御はＣＰＵ４０によって行なわれる。
【００３６】
ファクシミリ装置３０はさらに、ＣＰＵ４０に接続された回線制御回路５２、５４、５６をさらに含む。回線制御回路５２、５４、５６はそれぞれ、ファクシミリ送受信機能を持ち、各回路が独立した電話回線に接続される。本発明に係るファクシミリ装置では電話回線及び回線制御回路がそれぞれ２つ以上必要となる。図２では、接続される回線制御回路の数を３（Ｎ＝３）とし、回線制御回路５２、５４、５６はそれぞれ、電話回線１、２、３に接続される。また、回線制御回路５２、５４、５６の動作制御はＣＰＵ４０によって行なわれる。
【００３７】
また、登録メモリ４４には、後述するような電話回線の２回線分を使用する誤送信確認動作を実行しないファクシミリ送信先の番号が登録されている。
【００３８】
図３は、ファクシミリ装置３０において、ＣＰＵ４０によって実行される、１回のファクシミリ送信における、送信開始から送信終了までのプログラムの制御構造をフローチャート形式で表した図である。このプログラムは、後述する図４のステップＳ７０６、Ｓ７２０で実行される。
【００３９】
図３を参照して、このプログラムは、利用者が操作パネル４２から入力するファクシミリ送信先の番号を受けるステップＳ２０２と、ステップＳ２０２に続き、入力されたファクシミリ送信先の番号が誤送信確認動作を実行しないファクシミリ送信先の番号として登録メモリ４４に登録されているか否かを判定し、判定結果に応じて制御の流れを分岐させるステップＳ２０４と、ステップＳ２０４で登録されていないと判定された場合（ＮＯの場合）に実行され、電話回線が２回線分使用可能か否かを判定し、判定結果に応じて制御の流れを分岐させるステップＳ２０６とを含む。ステップＳ２０６で電話回線が２回線分使用可能で無いと判定された場合（ＮＯの場合）、制御はステップＳ２０６に戻り、電話回線が２回線分使用できるようになるまで待つ。
【００４０】
このプログラムはさらに、ステップＳ２０６で電話回線が２回線分使用可能であると判定された場合（ＹＥＳの場合）に実行され、入力された送信先に第１の電話回線を介して発信処理を行なうステップＳ２０８と、ステップＳ２０８に続き、ステップＳ２０８の実行から所定の時間経過後に第１の電話回線と同じ送信先に第２の電話回線を介して発信処理を行なうステップＳ２１０と、ステップＳ２１０に続き、第１の電話回線を介して送信先ファクシミリ装置から応答信号を受信したか否かを判定し、判定結果に応じて制御の流れを分岐させるステップＳ２１２と、ステップＳ２１２で第１の電話回線を介して送信先ファクシミリ装置から応答信号を受信したと判定された場合（ＹＥＳの場合）に実行され、第２の電話回線が話中などのビジー状態であるか否かを判定し、判定結果に応じて制御の流れを分岐させるステップＳ２１４と、ステップＳ２１４で第２の電話回線がビジー状態であると判定された場合（ＹＥＳの場合）に実行され、第１の電話回線でファクシミリ送信を行なうステップＳ２１６と、ステップＳ２１６に続き、第２の電話回線の発信処理を中止するステップＳ２１７と、ステップＳ２１４で第２の電話回線がビジー状態でないと判定された場合（ＮＯの場合）に実行され、第１の電話回線の送信処理を中止するステップＳ２１８と、ステップＳ２１８に続き、第２の電話回線の発信処理を中止するステップＳ２１９とを含む。ステップＳ２１７、又はステップＳ２１９を実行後、このプログラムは終了する。
【００４１】
このプログラムはさらに、ステップＳ２１２で第１の電話回線を介して送信先ファクシミリ装置から応答信号を受信していないと判定された場合（ＮＯの場合）に実行され、第２の電話回線を介して送信先ファクシミリ装置から応答信号を受信したか否かを判定し、判定結果に応じて制御の流れを分岐させるステップＳ２５０と、ステップＳ２５０で第２の電話回線を介して送信先ファクシミリ装置から応答信号を受信したと判定された場合（ＹＥＳの場合）に実行され、第１の電話回線の発信処理を中止するステップＳ２５２と、ステップＳ２５２に続き、第２の電話回線と同じ送信先に第１の電話回線を介して発信処理を行なうステップＳ２５４と、ステップＳ２５４に続き、第１の電話回線が話中などのビジー状態であるか否かを判定し、判定結果に応じて制御の流れを分岐させるステップＳ２５６と、ステップＳ２５６で第１の電話回線がビジー状態であると判定された場合（ＹＥＳの場合）に実行され、第２の電話回線でファクシミリ送信を行なうステップＳ２５８と、ステップＳ２５８に続き、第１の電話回線の発信処理を中止するステップＳ２５９と、ステップＳ２５６で第１の電話回線がビジー状態でないと判定された場合（ＮＯの場合）に実行され、第２の電話回線の送信処理を中止するステップＳ２６０と、ステップＳ２６０に続き、第１の電話回線の発信処理を中止するステップＳ２６１とを含む。ステップＳ２５９、又はステップＳ２６１を実行後、このプログラムは終了する。
【００４２】
このプログラムはさらに、ステップＳ２５０で第２の電話回線を介して送信先ファクシミリ装置から応答信号を受信していないと判定された場合（ＮＯの場合）に実行され、ステップＳ２０６で第１の電話回線を介しての発信処理を行なってから一定時間が経過したか否かを判定し、判定結果によって制御の流れを分岐させるステップＳ２２０と、ステップＳ２２０で一定時間が経過したと判定された場合（ＹＥＳの場合）に実行され、第１の電話回線の発信処理を中止するステップＳ２２２と、ステップＳ２２２に続き、第２の電話回線の発信処理を中止するステップＳ２２４とを含む。ステップＳ２２０で一定時間が経過していないと判定された場合（ＮＯの場合）、制御はステップＳ２１２に戻る。ステップＳ２２４実行後、このプログラムは終了する。
【００４３】
このプログラムはさらに、ステップＳ２０４で番号が登録されていると判定された場合（ＹＥＳの場合）に実行され、電話回線が１回線分使用可能か否かを判定し、判定結果に応じて制御の流れを分岐させるステップＳ２８０と、ステップＳ２８０で使用可能と判定された場合（ＹＥＳの場合）に実行され、送信先にその回線を使用してファクシミリ送信を行なうステップＳ２８２とを含む。ステップＳ２８０で電話回線が使用可能でないと判定された場合（ＮＯの場合）、制御はステップＳ２８０に戻り、電話回線が１回線分使用可能になるまで待つ。ステップＳ２８２実行後、このプログラムは終了する。
【００４４】
図４は、ファクシミリ装置３０において、ＣＰＵ４０によって実行される、誤送信確認を採用したファクシミリ送信を行なうプログラムの全体の制御構造をフローチャート形式で表した図である。このプログラムは、ファクシミリ装置３０のファクシミリ機能が起動した時に実行される。このプログラムでは、誤送信確認とともに、誤送信確認動作を行なうべきでない送信先の登録を行なうことができる。
【００４５】
図４を参照して、このプログラムは、ファクシミリ装置３０の再送信回数の値を０に設定するステップＳ７０２と、ステップＳ７０２に続き、カウンタの値を０に設定するステップＳ７０４と、ステップＳ７０４に続き、ファクシミリ送信を行なうステップＳ７０６とを含む。カウンタは誤送信確認動作による送信中止の回数をカウントするためのものである。
【００４６】
ステップＳ７０６では、ファクシミリ送信のために図３に制御構造を示すプログラムが実行される。
【００４７】
このプログラムはさらに、ステップＳ７０６に続き、ファクシミリ送信が完了したか否かを判定し、判定結果に応じて制御の流れを分岐させるステップＳ７０８と、ステップＳ７０８でファクシミリ送信が完了しなかったと判定された場合（ＮＯの場合）に実行され、ファクシミリ送信で送信中止処理が起こったか否かを判定し、判定結果に応じて制御の流れを分岐させるステップＳ７１０と、ステップＳ７１０で送信中止が起こったと判定された場合（ＹＥＳの場合）に実行され、カウンタの値を１増加させるステップＳ７１２と、ステップＳ７１２に続き、カウンタの値が規定値以上か否かを判定し、判定結果に応じて制御の流れを分岐させるステップＳ７１４と、ステップＳ７１４でカウンタの値が規定値以上ではないと判定された場合（ＮＯの場合）に実行され、再送信回数の値が設定値以下であるか否かを判定し、判定結果に応じて制御の流れを分岐させるステップＳ７１６とを含む。ステップＳ７１０で送信中止処理が起こっていないと判定された場合（ＮＯの場合）、制御はステップＳ７１６に進む。
【００４８】
ステップＳ７１０で送信中止処理が起こったと判定される場合は、図３におけるフローチャートでステップＳ２１８、ステップＳ２６０が実行された場合である。具体的には、第１及び第２の電話回線がともに送信先ファクシミリ装置から応答信号を受信した時である。この場合、第１の電話回線が意図した送信先と通信していない可能性が高い。
【００４９】
このプログラムはさらに、ステップＳ７１６で再送信回数の値が設定値以下であると判定された場合（ＹＥＳの場合）に実行され、再送信回数の値を１増加させるステップＳ７１８と、ステップＳ７１８に続き、ファクシミリの再送信を行なうステップＳ７２０とを含む。
【００５０】
ステップＳ７２０では、ファクシミリの再送信とし、図３に制御構造を示すプログラムが実行される。ただし、再送信では、ファクシミリ送信先の番号（図３のステップＳ２０２）としては、ステップＳ７０６を実行した時に入力した番号と同じものが設定される。また、ステップＳ２０４で参照される登録メモリ４４は最新の登録状況のものが参照される。ステップＳ７２０実行後、制御はステップＳ７０８に進む。
【００５１】
このプログラムはさらに、ステップＳ７１４でカウンタが規定値以上であると判定された場合に実行され、ステップＳ７０６で入力されたファクシミリ送信先の番号と、その番号を誤送信確認を行なわない番号に登録するか否かという旨のメッセージとを操作パネル４２に表示し、利用者からの入力を受けるステップＳ７３０と、ステップＳ７３０に続き、ステップＳ７３０で誤送信確認を行なわない番号に登録するという入力を受けたか否かを判定し、判定結果によって制御の流れを分岐させるステップＳ７３２と、ステップＳ７３２で入力を受けたと判定された場合（ＹＥＳの場合）に実行され、登録メモリ４４に、表示されたファクシミリ送信先の番号を追加登録するステップＳ７３４とを含む。この結果、この送信先番号は上記した誤送信確認を行なわない送信先として登録される。ステップＳ７３２で入力を受けていないと判定された場合（ＮＯの場合）、又は、ステップＳ７３４実行後、このプログラムは終了する。ステップＳ７１６で再送信回数の値が設定値以下ではないと判定された場合（ＮＯの場合）、又はステップＳ７０８で送信完了したと判定された場合（ＹＥＳの場合）、このプログラムは終了する。
【００５２】
―動作―
第１の実施の形態に係るファクシミリ装置３０は、以下のように動作する。
【００５３】
ファクシミリ装置３０では、誤送信確認動作をしない送信先のファクシミリ番号をあらかじめ登録し、登録メモリ４４に記憶させておく。
【００５４】
利用者がファクシミリ送信モードを選択すると、図４に示すプログラムが起動する。再発信回数及びカウンタは０に設定される（図４、ステップＳ７０２、Ｓ７０４）。利用者は、操作パネル４２から送信先のファクシミリ番号を入力する（図３、ステップＳ２０２）。ファクシミリ装置３０は、入力されたファクシミリ番号が登録メモリ４４に登録されているか否かを判定する（図３、ステップＳ２０４）。
【００５５】
登録メモリ４４にファクシミリ番号が登録されている場合（ステップＳ２０４でＹＥＳ）は、ファクシミリ装置３０は誤送信確認動作を行なわず、入力された送信先に１つの電話回線を用いてファクシミリ送信を行なう（図３、ステップＳ２８２）。（以下この動作を「通常のファクシミリ送信」と呼ぶ。）
【００５６】
登録メモリ４４にファクシミリ番号が登録されていない場合は、以下のように誤送信確認動作を行ないながらファクシミリ送信を行なう。
【００５７】
誤送信確認動作を行なう場合、送信に用いる第１の電話回線と確認に用いる第２の電話回線との２回線分の電話回線を確保する（図３、ステップＳ２０６）。ファクシミリ装置３０は２回線分の電話回線を確保したら、入力された送信先に第１の電話回線を用いて発信信号を送信する（図３、ステップＳ２０８）。第１の電話回線が発信信号を送信してから一定時間経過後、ファクシミリ装置３０は、第１の電話回線と同じ送信先に第２の電話回線を用いて発信信号を送信する（図３、ステップＳ２１０）。第１の電話回線がファクシミリ装置からの応答信号を受信した場合（図３、ステップＳ２１２でＹＥＳ）、ファクシミリ装置３０は、第２の電話回線の状況を確認する（図３、ステップＳ２１４）。第２の電話回線は第１の電話回線と同じ送信先に発信信号を送信しているので、第２の電話回線が話中などのビジー状態になった場合（ステップＳ２１４でＹＥＳ）、ファクシミリ装置３０は、第１の電話回線は入力された送信先に正しく接続されたと判定し、第１の電話回線を用いてファクシミリ送信を行なう（図３、ステップＳ２１６）。第２の電話回線の発呼は中止する（ステップＳ２１７）。第２の電話回線が送信先に接続された場合には（図３、ステップＳ２１４でＮＯ）、第１の電話回線は別のファクシミリ装置に接続されたと判定し、第１の電話回線の送信処理を中止する（図３、ステップＳ２１８）。第２の電話回線の発呼も停止する（ステップＳ２１９）。
【００５８】
第１の電話回線が応答信号を受信しない場合は（図３、ステップＳ２１２でＮＯ）、第２の電話回線がファクシミリ装置からの応答信号処理を受信したか否かを判定する（図３、ステップＳ２５０）。第２の電話回線で応答信号を受信した場合は（ステップＳ２５０でＹＥＳ）、第１の電話回線で行なっていた発信処理を一旦中止する（図３、ステップＳ２５２）。その後、第２の電話回線と同じ送信先に第１の電話回線を用いて発信信号の送信を行ない（図３、ステップＳ２５４）、第１の電話回線の状況を確認する（図３、ステップＳ２５６）。第１の電話回線は第２の電話回線と同じ送信先に発信信号を送信しているので、第１の電話回線が話中などのビジー状態になった場合（ステップＳ２５６でＹＥＳ）、第２の電話回線は入力された送信先に正しく接続されたと判定し、ファクシミリ装置３０は第２の電話回線を用いてファクシミリ送信を行なう（図３、ステップＳ２５８）。第１の電話回線での発呼は中止する。（ステップＳ２５９）第１の電話回線が送信先に接続された場合には（ステップＳ２５６でＮＯ）、第２の電話回線は別のファクシミリ装置に接続されたと判定し、ファクシミリ装置３０は第２の電話回線の送信処理を中止する（図３、ステップＳ２６０）。第１の電話回線の発呼も中止する（ステップＳ２６１）。
【００５９】
第２の電話回線がファクシミリ装置からの応答信号を受信しなかった場合（図３、ステップＳ２５０でＮＯ）は、ファクシミリ装置３０は所定の時間が経過するまで、第１又は第２の電話回線のいずれかがファクシミリ装置からの応答信号を受信するのを待つ（ステップＳ２２０、ステップＳ２１２、ステップＳ２５０を繰返す。）。所定の時間が経過した場合（ステップＳ２２０でＹＥＳ）、ファクシミリ装置３０は、第１及び第２の電話回線の発信処理を中止し、送信処理を終了する（図３、ステップＳ２２２、ステップＳ２２４）。
【００６０】
このように、ファクシミリ装置３０における誤送信確認動作は、送信用と確認用として２回線の電話回線を使用し、送信用の発信から一定の時間差を置き、同じ送信先に確認用の発信を行なう。先に発信した送信用の発信処理がファクシミリ装置からの応答信号を受信した場合、ファクシミリ装置３０は後から発信した確認用の発信の回線状況を確認する。ファクシミリ装置３０は、確認用回線がビジー状態であったら送信用の発信が正しく接続されたと判定しファクシミリ送信を行なう。ファクシミリ装置３０は、確認用回線がビジー状態でなかったら送信用の発信が別のファクシミリ装置と接続されたと判定し、送信を中止する。
【００６１】
また、先に発信した回線で応答が返ってくる前に、後から発信した確認用の発信処理が応答信号を受信した場合、ファクシミリ装置３０は、送信用の発信処理をいったん停止させ、空いている回線（図３のプログラムの場合、発信処理を一旦停止した第１の電話回線）を用いて、ファクシミリ通信状態になった回線の再確認用の発信処理を行なう。再確認用の発信がビジー状態であったら応答信号を受信した確認用の接続先は正しいと判定し、ファクシミリ装置３０はその確認用の接続を用いてファクシミリ送信を行なう。
【００６２】
ファクシミリ装置３０は、空いている回線を用いて通信状態になった回線の接続確認を行なうことで、すぐに回線の接続状態が確認でき、最初に送信する送信用の発信処理でファクシミリ通信状態にならなかったときでも、ほかの回線を送信用の回線として用いて早期にファクシミリ送信を行なうことができる。
【００６３】
この結果、送信側ファクシミリ装置に送信先情報が設定されていない場合でも、高い信頼性で誤送信を防止することを可能にしたファクシミリ装置が実現できる。
【００６４】
なお、図３のフローチャートでは２つの電話回線を用いて制御の流れを記述したが、ファクシミリ装置に３本以上の電話回線が接続されている場合には、他の使用中でない電話回線を用いて発信処理を行なってもよい。
【００６５】
また、データ通信システム２０には、同じ番号で受信しても内部交換機３８によって複数の電話回線に振分けて受信を行なうシステムが存在している。このようなシステムの場合、送信側のファクシミリ装置３０が２回線分の電話回線を用いて送信用と確認用との発信処理を同じ番号に対して行なったとしても、どちらの回線もファクシミリ通信状態になる。上記した誤操作確認動作を行なう時はいずれの回線でもファクシミリ送信処理ができない。しかし、このような回線に対しては誤送信確認動作を行なわないようにすることで、通常のファクシミリ送信が行なえるようになる。
【００６６】
以下に、図４に戻って、そうした誤送信確認動作を行なうべきではない送信先番号を登録する際のファクシミリ装置３０の動作について説明する。
【００６７】
ファクシミリ装置３０における、再送信回数の回数及び送信中止の回数を数えるカウンタに初期値０の値を設定されていることについては前述した（図４のステップＳ７０２、Ｓ７０４）。
【００６８】
初期値設定後、上記したファクシミリ送信処理を実行する（図４、ステップＳ７０６）。利用者が入力した送信先の番号が誤送信確認動作をしない番号として登録メモリ４４に登録されている場合は、誤送信確認動作を行なわず通常のファクシミリ送信を行なう（図３、ステップＳ２０４、Ｓ２８０、Ｓ２８２）。登録されていない場合は、以下のように誤操作確認動作を行ないながらファクシミリ送信を行なう（図３、ステップＳ２０４でＮＯ）。
【００６９】
誤送信確認動作を行なってファクシミリ送信を実行した場合、送信が完了するときと、しないときとの双方があり得る。送信が完了すれば何も問題はない。送信が完了しなかった場合（ステップＳ７０８でＮＯ）は、ファクシミリ装置３０は以下のように動作する。
【００７０】
送信が完了しなかった要因として、誤送信確認処理で誤送信が生じたと判定された場合と、単純にタイムアウトが発生した場合との双方があり得る。ここでは、前者を「送信中止」と呼び、後者を「タイムアウト」と呼ぶ。相手側が同じ番号の着呼を複数のファクシミリ装置に振分ける場合、必ずタイムアウトか送信中止となり、送信完了となることはない。
【００７１】
送信完了しなかった要因がタイムアウトによるものであった場合は（ステップＳ７１０でＮＯ）、ファクシミリ装置３０は再送信回数が設定値以下であるか否かを判定し（ステップＳ７１６）、設定値以下の場合（ステップＳ７１６でＹＥＳ）、ファクシミリの再送信処理を行なう（ステップＳ７１８、Ｓ７２０）。
【００７２】
送信完了しなかった要因が、送信中止動作であった場合は（ステップＳ７１０でＹＥＳ）、ファクシミリ装置３０はカウンタの値を１増加させる（ステップＳ７１２）。その後、カウンタの値が規定値以上であるか否かを判定し（ステップＳ７１４）、規定値以下である場合（ステップＳ７１４でＮＯ）、ファクシミリ装置３０は再送信回数が設定値以下であるか否かを判定し（ステップＳ７１６）、設定値以下の場合は（ステップＳ７１６でＹＥＳ）ファクシミリの再送信処理を行なう（ステップＳ７１８、７２０）。
【００７３】
このとき、再送信回数の設定値は、カウンタの規定値よりも大きい方が望ましい。
【００７４】
ファクシミリの再送信処理では、まず再送信回数の値を１増加させる（ステップＳ７１８）。続いて、前回の送信時に利用者が入力したものが送信先として設定されファクシミリ再送信が行なわれる（ステップＳ７２０）。その送信先と登録メモリ４４の内容とを比較し誤送信確認動作を行なうか否かを判定することについては前述のとおりである。このとき、登録メモリ４４は最新の内容が参照される。
【００７５】
カウンタの値が規定値以上になった場合（ステップＳ７１４でＹＥＳ）は、ファクシミリ装置３０は操作パネル４２に入力された送信先番号と、「この送信先を誤送信確認動作を行なわない番号に登録するか」という旨のメッセージとを表示する（ステップＳ７３０）。利用者はそのメッセージに応答する。ファクシミリ装置３０はその応答がどのようなものであるか判定する（ステップＳ７３２）。利用者が誤送信確認動作を行なわない番号として登録する操作を行なった場合（ステップＳ７３２でＹＥＳ）、ファクシミリ装置３０はその送信先を登録メモリ４４に登録して（ステップＳ７３４）、プログラムを終了する。利用者が登録しないと操作を行なった場合は（ステップＳ７３２でＮＯ）、ファクシミリ装置３０は送信先の登録をせずにプログラムを終了する。
【００７６】
このように、送信先の通信システム状況が不明で、誤送信確認処理を行なった時にファクシミリ送信が完了しない場合、ファクシミリ装置３０は完了しなかった要因を判定する。ファクシミリ装置３０はカウンタを用いて送信中止になった回数を計測し、カウンタの値が規定値を超えた場合にはその送信先を操作パネル４２に表示し、利用者の入力を受けて登録する。登録された送信先に関しては、次回からのファクシミリ送信動作では通常のファクシミリ送信が行なわれる。この結果、着呼の振分けを行なう送信先に対してもファクシミリ送信が可能になる。
【００７７】
本実施の形態では、全ての送信先に対して誤送信確認を行なうのが原則であり、誤送信確認を行なわないのが例外である。したがって、送信側ファクシミリ装置に送信先のファクシミリ装置の情報が設定されていない場合でも、確認動作を実行して誤送信を防止することができる。誤送信確認動作がうまく機能しない場合には利用者の入力により例外として誤送信確認をしないように設定内容を変更することができる。この結果、送信側ファクシミリ装置に送信先情報が設定されていない場合でも、誤送信を防止することを可能にしたファクシミリ装置を提供することができる。
【００７８】
［第２の実施の形態］
−構成−
以下、本発明の第２の実施の形態に係るファクシミリ装置８０について説明する。このファクシミリ装置８０は、誤送信確認を行なわない送信先を自動的に登録メモリ４４に登録する機能を持つ。
【００７９】
ファクシミリ装置８０は、ファクシミリ装置３０と同じハードウェア構成を持つ。ただし、ＲＯＭ４１が記憶するプログラムが異なっている。
【００８０】
図５は、ファクシミリ装置８０において、ＣＰＵ４０によって実行され、ファクシミリ送信を行ないながら誤送信確認動作の動作設定を自動的に行なうプログラムの制御構造をフローチャート形式で表した図である。このプログラムは、ファクシミリ装置８０のファクシミリ機能が起動した時に実行される。
【００８１】
図５を参照して、このプログラムは、図４と比較して、図４のステップＳ７３０〜Ｓ７３４に代えて、ステップＳ７１４でカウンタの値が規定値以上であると判定された場合（ＹＥＳの場合）に実行され、ステップＳ７０６で入力された送信先を誤送信確認を行なわない送信先の番号として登録メモリ４４に自動的に登録した後、制御をステップＳ７１６に進めるステップＳ７４２を含む点で異なっている。
【００８２】
―動作―
第２の実施の形態に係るファクシミリ装置８０は、以下のように動作する。
【００８３】
まず、ファクシミリ装置８０における、再送信回数の回数及び送信中止の回数を数えるカウンタに初期値０の値を設定する（ステップＳ７０２、Ｓ７０４）。
【００８４】
初期値設定後、ファクシミリ送信処理を実行する（ステップＳ７０６）。利用者が入力した送信先の番号が誤送信確認動作をしない番号として登録メモリ４４に登録されている場合は、誤送信確認動作を行なわず通常のファクシミリ送信を行なう。登録されていない場合は、誤操作確認動作を行ないながらファクシミリ送信を行なう。
【００８５】
送信が完了すれば（ステップＳ７０８で、ＹＥＳ）、ファクシミリ装置８０は送信動作を終了する。
【００８６】
誤送信確認動作を行なってファクシミリ送信を実行し送信完了しなかった場合は（ステップＳ７０８でＮＯ）、ファクシミリ装置３０は以下のように動作する。
【００８７】
送信完了しなかった要因が、タイムアウトによるものであった場合は（ステップＳ７１０でＮＯ）、ファクシミリ装置３０は再送信回数が設定値以下であるか否かを判定し（ステップＳ７１６）、設定値以下の場合（Ｓ７１６でＹＥＳ）ファクシミリの再送信処理を行なう（ステップＳ７１８、Ｓ７２０）。
【００８８】
送信完了しなかった要因が、ファクシミリ装置８０による送信中止動作であった場合は（ステップＳ７１０でＹＥＳ）、ファクシミリ装置８０はカウンタの値を１増加させる（ステップＳ７１２）。その後、カウンタの値が規定値以上であるか否かを判定し（ステップＳ７１４）、規定値以下である場合（Ｓ７１４でＮＯ）、ファクシミリ装置８０は再送信回数が設定値以下であるか否かを判定し（ステップＳ７１６）、設定値以下の場合（Ｓ７１６でＹＥＳ）はファクシミリの再送信処理を行なう（ステップＳ７１８、Ｓ７２０）。
【００８９】
このとき、再送信回数の設定値は、カウンタの規定値よりも大きい方が望ましい。
【００９０】
カウンタの値が規定値以上になった場合（ステップＳ７１４でＹＥＳ）、ファクシミリ装置８０は、入力された送信先を誤送信確認を行なわない番号として登録メモリ４４に登録する。この後、ステップＳ７１６の処理を実行する。通常、Ｓ７１６の判定はＹＥＳとなり、ステップＳ７１８を経て、ステップＳ７２０のファクシミリ再送信処理が実行される。
【００９１】
この送信先を登録メモリ４４に登録した後にファクシミリの再送信が行なわれた場合（ステップＳ７２０）、再送信処理では登録メモリの最新の内容が参照されるので、ファクシミリ装置８０は、登録された送信先を誤送信確認を行なわない番号として判定し、通常のファクシミリ送信を行なう。その結果、送信完了となり（Ｓ７０８でＹＥＳ）プログラムの実行は終了する。
【００９２】
このように、送信先の通信システム状況が不明で、誤送信確認処理を行なった時にファクシミリ送信が完了しない場合は、ファクシミリ装置８０は完了しなかった要因を判定する。ファクシミリ装置８０はカウンタを用いて印刷中止になった回数を計測し、カウンタの値が規定値を超えた場合には、その送信先を誤送信確認処理を行なわない番号として登録メモリ４４に自動的に登録する。その結果、再送信の際には通常のファクシミリ送信が行なわれる。この結果、ファクシミリ装置８０は電話回線の振分けを行なう送信先に対しても利用者が操作することなしにファクシミリ送信を完了させることが可能になる。またこの制御により、誤送信確認処理の影響により何度も再送信が行なわれることを防ぐことができ、業務効率を向上させると同時に通信費を抑制することができる。
【００９３】
このファクシミリ装置８０でも、誤送信確認を行なうのが原則で誤送信確認を行なわないのはあくまで例外である。このように、本実施の形態によれば、誤送信確認動作が送信動作に対して影響を及ぼす場合には自動的に設定内容を変更することができる。この結果、送信側ファクシミリ装置に送信先情報が設定されていない場合でも、誤送信を防止することを可能にしたファクシミリ装置を提供することができる。
【００９４】
今回開示された実施の形態は単に例示であって、本発明が上記した実施の形態のみに制限されるわけではない。本発明の範囲は、発明の詳細な説明の記載を参酌した上で、特許請求の範囲の各請求項によって示され、そこに記載された文言と均等の意味および範囲内でのすべての変更を含む。
【図面の簡単な説明】
【００９５】
【図１】第１の実施の形態に係るファクシミリ装置３０を含む、データ通信システム２０の全体構成を表す図である。
【図２】ファクシミリ装置３０の構成を表すブロック図である。
【図３】ファクシミリ装置３０において、ＣＰＵ４０によって実行される、ファクシミリ送信のためのプログラムの制御構造をフローチャート形式で表した図である。
【図４】ファクシミリ装置３０において、ＣＰＵ４０によって実行される、誤送信確認動作の動作設定を行なうプログラムの全体の制御構造をフローチャート形式で表した図である。
【図５】第２の実施の形態に係るファクシミリ装置８０において、ＣＰＵ４０によって実行される、誤送信確認動作の動作設定を行なうプログラムの全体の制御構造をフローチャート形式で表した図である。
【符号の説明】
【００９６】
３０、８０  ファクシミリ装置
４０  ＣＰＵ
４１  ＲＯＭ
４２  操作パネル
４４  登録メモリ
５０  バス
５２、５４、５６  回線制御回路
【図１】
2010062889.tif 000003
【図２】
2010062889.tif 000004
【図３】
2010062889.tif 000005
【図４】
2010062889.tif 000006
【図５】
2010062889.tif 000007